(57)【特許請求の範囲】
【請求項１】
前後及び左右の各機壁４で箱形状に形成して穀粒を貯留する穀粒貯留室７の前後又は左右の補強受板１２間に張棒１５を掛け渡して補強し、前記機壁４の外側面には、両端部をコ字形状に突出させた外補強板８を、所定間隔に２個上下方向全長に亘り設け、
前記各機壁４内側面の上記補強受板１２には、該機壁４に対向し上面側に挿入溝１１の開口９が形成されるよう穀粒貯留室７の内側に向けて突出する受壁部１４を形成すると共に、該受壁部１４の前面側一部には開口１０を形成してこの開口１０部の左右両側部と底部とを連接し、上記挿入溝１１に張棒１５の端部に一体的に設けられ上端部幅が下端部幅よりも広く形成されている板状の張棒プレート１６を挿入すべく構成し、該受壁部１４は前記外補強板８のコ字形状の内側位置に配置する構成としたことを特徴とする穀粒乾燥機の穀粒貯留室補強装置。
【発明の詳細な説明】
【０００１】
【発明の属する技術分野】
この発明は、乾燥する穀粒を貯留する穀粒乾燥機の穀粒貯留室を補強する穀粒貯留室補強装置に関する。
【０００２】
【従来の技術】
乾燥する穀粒を貯留する前後、及び左右の各機壁で箱形状に形成する穀粒貯留室は、例えば、前後方向に長く、この箱体の該各機壁の内側面には、棒状の張棒の両端部に設けた板状の張棒プレートをボルト、及びナット等で装着する構成であったり、又、該各機壁の内側面には、内側へ突出する所定深さの挿入溝を形成する補強受板を、所定間隔に両側に設け、該張棒の両端部の該張棒プレートを、この補強受板のこの挿入溝へ挿入して、該各機壁を該張棒で補強して、張込穀粒により、変形することが発生するこの貯留室の変形を防止させている。
【０００３】
【発明が解決しようとする課題】
前段で説明した張棒の両側の張棒プレートをボルト、及びナット等により、各機壁の内側面への装着は、組付け工数が多くなり、このために、組付けに時間を要し、又、後段で説明した補強受板で形成される挿入溝へ該張棒プレートの挿入は、両側の該補強受板間に形成された該挿入溝へ挿入のために、この挿入溝の深さを張棒プレートの板厚により、大幅に深く形成していないと挿入が困難であり、深くすると組付けは容易であるが、乾燥作業中に流下循環する穀粒が、この深い挿入溝へささり、ささり粒が発生することがあり、次回に品種の異なる穀粒を乾燥すると、前回のささり粒は、乾燥作業途中で抜け落ちて、異品種穀粒に混入することがあり、このために、穀粒の品質が低下することがあったが、この発明により、これらの各問題を解消しようとするものである。
【０００４】
【課題を解決するための手段】
このために、この発明は、前後及び左右の各機壁４で箱形状に形成して穀粒を貯留する穀粒貯留室７の前後又は左右の補強受板１２間に張棒１５を掛け渡して補強し、前記機壁４の外側面には、両端部をコ字形状に突出させた外補強板８を、所定間隔に２個上下方向全長に亘り設け、
前記各機壁４内側面の上記補強受板１２には、該機壁４に対向し上面側に挿入溝１１の開口９が形成されるよう穀粒貯留室７の内側に向けて突出する受壁部１４を形成すると共に、該受壁部１４の前面側一部には開口１０を形成してこの開口１０部の左右両側部と底部とを連接し、上記挿入溝１１に張棒１５の端部に一体的に設けられ上端部幅が下端部幅よりも広く形成されている板状の張棒プレート１６を挿入すべく構成し、該受壁部１４は前記外補強板８のコ字形状の内側位置に配置する構成としたことを特徴とする穀粒乾燥機の穀粒貯留室補強装置。
穀粒乾燥機の穀粒貯留室補強装置の構成とする。
【０００５】
【発明の作用】
箱形状に形成される穀粒貯留室７の各機壁に構成する受板１２に、機壁内側において、張棒１５先端の張棒プレート１６を受壁部１４の上面側開口９から挿通し前面側開口１０に張棒１５が達するように下方に押し込み該張棒１５を補強受板１２部に固定する。
【０００６】
【発明の効果】
張棒１５の張棒プレート１６をボルト、及びナット等で装着することがなくなり、このために、組付けに時間を要しない。又、該張棒１５の該各張棒プレート１６を挿入する各補強受板１２を一体に形成したことにより、該受板１２の受壁部１４で形成する挿入溝１１の深さを、該張棒プレート１６の板厚と略同じにすることができ、このために、この挿入溝１１への穀粒のささりを防止することができ、次回に品種の異なる穀粒を乾燥したときであっても、ささり粒がないため、異品種穀粒の混入が防止できる。又、各張棒プレート１６は、該各補強受板１２の受壁部１４全体で受け、また、受壁部１４は外補強板８のコ字形状の内側位置に配置することにより、保持部の強度を向上させることができ、更に該張棒１５の組付けが容易になり、かつ貯留室の変形がしにくいものとなった。
【０００７】
【実施例】
以下、本発明の一実施例を図面に基づいて説明する。図例は、穀粒を乾燥する循環型の穀粒乾燥機１に穀粒の水分を検出する水分センサ２、及び熱風が発生するバーナ３等を装着した状態を示すものである。前記乾燥機１は、前後方向に長い長方形状で機壁４上部には、移送螺旋を回転自在に内装した移送樋５、及び天井板６を設け、この天井板６下側には穀粒を貯留する穀粒貯留室７を形成している。
【０００８】
前記貯留室７は、前後、及び左右の各機壁４で形成し、これら各機壁４を上部へ順次段積することにより、張込して乾燥する穀粒の処理量に対応できる構成であり、又、これら各機壁４外側面には、両端部をコ字形状に突出させた外補強板８を、所定間隔に２個を上下方向全長に亘り、例えば、溶接等で固着して設けた構成としている。
【０００９】
前記各段別の各機壁４内側面には、張棒プレート１６の挿入を受ける受壁部１４の上面部と前面一部とには、開口９，１０部を設け、該受壁部１４は、該開口１０部の左右両側部と底部とを連接させて、内側へ向けて該張棒プレート１６形状と略同じ形状に、該受壁部１４を突出させて、挿入溝１１を形成する補強受板１２を左右方向、及び前後方向共に各２箇所に設け、該補強受板１２は、上端部を下端部より、所定幅広く形成すると共に、横側の両端部は、内側へ向けて折曲する折曲部１３を設け、上下方向は所定長さに鉄板材等で構成している。
【００１０】
前記補強受板１２は、各機壁４内側面の上下方向所定位置で、外側面の外補強板８のコ字形状の外側位置に、この補強受板１２の上端部の両側部を位置させ、又、該外補強板８のコ字形状の内側位置に、この補強受板１２の下端部の両側部を位置させて、例えば、溶接等で固着して設け、該補強受板１２の該折曲部１３の上下角部を該外補強板８のコ字形状部の内外に位置させた構成として、この補強受板１２の取付部の強度向上を図った構成としている。
【００１１】
前記補強受板１２の受壁部１４の挿入溝１１底部の下部には、図７の如く、開口する開放口１４ａを設け、塵埃等の溜るのを防止すると共に、分解時には、この開放口１４ａを利用して張棒１５を取外しできる構成とし、該張棒１５の取外しを容易にする構成とするもよい。張棒１５は、丸棒、又はパイプ等の棒状で鉄材等で構成し、該張棒１５の両端部には、板状の張棒プレート１６，１６を、例えば、溶接等で固着して設け、この張棒プレート１６の上端部は、下端部より所定幅広くして、上下方向の長さは、補強受板１２の挿入溝１１部の長さと略同じ長さとして鉄板材等で構成し、この各張棒プレート１６は、該各補強受板１２の該各挿入溝１１部へ挿入して、該張棒１５が保持される構成であり、該各機壁４を該各張棒１５で補強し、張込穀粒により、変形することが発生する貯留室７の変形を防止する構成としている。
【００１２】
左右方向に装着する前記張棒１５，１５の上側には、前後方向に装着する張棒１５，１５を設けた構成として、前後方向に長い該張棒１５，１５を左右方向の該張棒１５，１５で受けさせる構成として、前後方向の該張棒１５，１５の撓みを防止する構成であり、各張棒プレート１６を各補強受板１２の各挿入溝１１へ挿入して固定状態になると、これら各補強受板１２と各張棒プレート１６との上端部位置は、略同じ位置になる構成としている。
【００１３】
前記各張棒プレート１６の上端部から下部へ向けて所定の長さの間は、図８の如く、外側へ向けて所定の角度で折曲する折曲部１７を設け、該各張込プレ
ート１６を各補強受板１２の各挿入溝１１部へ挿入すると、この折曲部１７は、各機壁４内側面に当接する構成として、この各張込プレート１６とこの各機壁４内側面との間に発生する隙間を防止させて、流下循環する穀粒が、この隙間にささるささり粒の発生を防止する構成とするもよい。
【００１４】
前記補強受板１２の挿入溝１１へ張棒プレート１６を挿入状態のときに、該補強受板１２の上端部位置は、張棒１５の略中心位置までの長さとして、コスト低減を図る構成とするもよい。穀粒乾燥室１８，１８は、貯留室７下側において、左右両側の排風室１９，１９と中央の送風室２０との間に設け、これら乾燥室１８，１８下部には、穀粒を繰出し流下させる繰出バルブ２１を夫々回転自在に軸支している。
【００１５】
集穀樋２２は、移送螺旋を回転自在に軸支し、各乾燥室１８，１８下側に設けて連通させている。前記バーナ３は、バーナケース２３に内装して設け、このバーナケース２３は、前側機壁４正面側において、送風室２０入口側に対応すべくこの前側機壁４外側面に着脱自在に設け、又、乾燥機１、水分センサ２、及び該バーナ３等を張込、乾燥、及び排出の各作業別に始動、及び停止操作する操作装置２４は、該前側機壁４外側面に着脱自在に設けている。
【００１６】
排風機２５は、後側機壁４で、左右の排風室１９，１９に連通すべく設けた排風路室２６中央後部側排風胴２７に設け、又、この後側機壁４には、この排風機２５を回転駆動する排風機モータ２８を設けている。バルブモータ２９は、繰出バルブ２１，２１を減速機構を介して回転駆動させている。
【００１７】
燃料ポンプ３０は、燃料バルブを有して、バーナケース２３下板外側に設け、この燃料バルブの開閉により、この燃料ポンプ３０で燃料タンク３１内の燃料を吸入して、バーナ３へ供給させている。送風機３２は、上板外側に設け、変速用の送風機モータ３３で変速回転駆動させ、供給燃料量に見合った燃焼用空気を該バーナ３へこの送風機３２で送風させている。該バーナ３から発生する熱風と該バーナケース２３内を通過する外気風とが混合して乾燥熱風になる構成である。
【００１８】
拡散盤３４は、移送樋５底板の前後方向中央部で、移送穀粒を貯留室７へ供給する供給口の下側に設け、該貯留室７へ穀粒を均等に拡散還元させている。昇穀機３５は、前側機壁４外側部に設けられ、内部にはバケットコンベア３６付ベルトを張設してなり、上端部は、移送樋５始端部との間において投出筒３７を設けて連通させて、下端部は、集穀樋２２終端部との間において供給樋３８を設けて連通させている。
【００１９】
昇穀機モータ３９は、バケットコンベア３６付ベルト、移送樋５内の移送螺旋、拡散盤３４、及び集穀樋２２内の移送螺旋等を回転駆動させている。前記水分センサ２は、昇穀機３５の上下方向ほぼ中央部に設け、この水分センサ２は、操作装置２４からの電気的測定信号の発信により、水分モータ４０が回転してこの水分センサ２の各部が回転駆動され、バケットコンベア３６で上部へ搬送中に落下する穀粒を受け、この穀粒を挟圧粉砕しながら、この粉砕穀粒の水分を検出する構成としている。
【００２０】
前記操作装置２４の表面板には、乾燥機１、水分センサ２、及びバーナ３等を各作業別に始動、及び停止する押ボタン方式でＯＮ−ＯＦＦスイッチの各始動手段４１、停止手段４２、ロータリースイッチ方式の穀粒の仕上目標水分を設定する水分設定抓み４３、該バーナ３から発生する熱風の温度を設定する穀物種類設定抓み４４、及び張込量設定抓み４５、各種項目をデジタル表示する表示部４６、及びモニタ表示等を設けた構成としている。
【００２１】
制御装置４９は、操作装置２４内に設け、水分センサ２、及び熱風温センサ５０等の検出値の入力、各始動手段４１、停止手段４２、及び各設定抓み４３，４４，４５の操作の入力、これらの入力を算術論理演算、及び比較演算するＣＰＵ５１等よりなり、このＣＰＵ５１で各モータ２８，２９，３３，３９，４０、燃料バルブ、及び燃料ポンプ３０等を始動、停止、及び調節制御等を行う構成としている。
【図面の簡単な説明】
【図１】要部の一部破断せる拡大斜視図
【図２】要部の拡大断面図
【図３】穀粒乾燥機の一部破断せる全体側面図
【図４】図３のＡ−Ａ拡大断面図
【図５】操作装置の一部破断せる拡大正面図
【図６】ブロック図
【図７】他の実施例を示す図で、補強受板部の拡大斜視図
【図８】他の実施例を示す図で、張棒部の拡大斜視図
【符号の説明】
４    機壁
７    穀粒貯留室
１１    挿入溝
１２    補強受板
１４    受壁部
１５    張棒
１６    張棒プレート
【図１】
0003702554.tif 000002
【図２】
0003702554.tif 000003
【図３】
0003702554.tif 000004
【図４】
0003702554.tif 000005
【図５】
0003702554.tif 000006
【図６】
0003702554.tif 000007
【図７】
0003702554.tif 000008
【図８】
0003702554.tif 000009